(57)【要約】【課題】従来の抑制帯のように目に見えない状態で物理的に固く腕やシャント肢を拘束するのではなく、腕を見える状態で緩やかに覆い、恐怖感や身体的及び心理的窮屈感を与えることのない透析用の抑制帯、即ち透析用抜針予防衣を提供する。【解決手段】前身頃及び後身頃を含む本体部と、前記本体部に設けられた右側袖部及び左側袖部と、前記右側袖部及び前記左側袖部のうちの少なくとも一方において、前記前身頃側に設けられた透明部と、前記透明部を有する側において、前記前身頃と前記後身頃との合わせ目に前記本体部の裾から脇部まで設けられた第一開閉機構、及び、前記脇部から袖口まで設けられた第二開閉機構と、を有すること、を特徴とする透析用抜針予防衣。【選択図】図１
2017172066.tif 000002
【特許請求の範囲】
【請求項１】
前身頃及び後身頃を含む本体部と、
前記本体部に設けられた右側袖部及び左側袖部と、
前記右側袖部及び前記左側袖部のうちの少なくとも一方において、前記前身頃側に設けられた透明部と、
前記透明部を有する側において、前記前身頃と前記後身頃との合わせ目に前記本体部の裾から脇部まで設けられた第一開閉機構、及び、前記脇部から袖口まで設けられた第二開閉機構と、
を有すること、
を特徴とする透析用抜針予防衣。
【請求項２】
前記脇部に開口部を有すること、
を特徴とする請求項１又は２に記載の透析用抜針予防衣。
【請求項３】
前記第一開閉機構及び前記第二開閉機構がそれぞれスライドファスナーで構成されていること、
を特徴とする請求項１又は２に記載の透析用抜針予防衣。
【請求項４】
前記第一開閉機構を構成するスライドファスナーと前記第二開閉機構を構成するスライドファスナーが、前記開口部にて切り替わっている構成を有すること、
を特徴とする請求項１〜３のうちのいずれかに記載の透析用抜針予防衣。
【発明の詳細な説明】
【技術分野】
【０００１】
本発明は、透析等に際して見られる抜針事故（自然抜去又は事故抜去）を防止するために、針を刺す患者の前腕に取り付ける透析用抜針予防衣に関する。
【背景技術】
【０００２】
従来から、透析、点滴、輸血や献血等、患者の前腕に針を刺して長時間にわたってベッドに仰向姿勢を保つ必要がある場合、前腕から針が抜けないように（抜針防止のために）、抑制帯（シーネ）を用いて前腕を固定することが一般的に行われている。
【０００３】
従来の抑制帯としては、例えば、特許文献１（特開平０８‐１０３４９４号公報）の腕固定具、特許文献２（特開平０８‐２８０７９７号公報）の腕固定具、及び特許文献３（特開平１０−３０５０９５号公報）の点滴用補助具等が提案されており、いずれも、基本的には前腕に添えるベース（本体、肘保持部及び手首保持部、固定カバー、硬質芯材等）に締結用のベルトを取り付けた構造を有している。
【０００４】
即ち、従来の抑制帯は、前腕をしっかりと固定することに主眼を置くため、上記ベースは一般に硬質で可撓性のない材質で構成され、目に見えない状態で固定される前腕が患者に対して恐怖感や身体的及び心理的窮屈感を与えていた。この身体的及び心理的窮屈感は、仮にそれほど前腕を拘束していない場合でも、患者には心理的に「拘束されている」という感覚を与え、前腕のみならず身体全体の自由を奪われ、精神的苦痛を訴える患者が少なくなかった。
【０００５】
また、昨今においては、透析患者の高齢化も進み、認知症患者の割合も増大しているところ、上記のような不満を訴えることなく、恐怖感や身体的及び心理的窮屈感を排除すべく、躍起になって抑制帯や針を取り外し、特に動脈と静脈をつなぎ合わせて直接動脈の血を静脈に流れるようにしたシャント部を設けたシャント肢では、大量の出血を伴ってしまうおそれもある。
【先行技術文献】
【特許文献】
【０００６】
【特許文献１】特開平０８‐１０３４９４号公報
【特許文献２】特開平０８‐２８０７９７号公報
【特許文献３】特開平１０−３０５０９５号公報
【発明の概要】
【発明が解決しようとする課題】
【０００７】
本発明の目的は、従来の抑制帯のように目に見えない状態で物理的に固く腕やシャント肢を拘束するのではなく、腕を見える状態で緩やかに覆い、恐怖感や身体的及び心理的窮屈感を与えることのない透析用の抑制帯、即ち透析用抜針予防衣を提供することにある。
【課題を解決するための手段】
【０００８】
上記のような目的を達成すべく、本発明者は、どのような構造を有する抑制帯を用いれば、認知症患者を含む透析患者が恐怖感や身体的及び心理的窮屈感を持たずシャント部の針を取り外そうとすることなく透析治療を受けられるか、抑制帯の構造について試作や試行錯誤を繰り返して鋭意検討した。その結果、これまでの抑制帯とは全く異なる考え方を採用することが、上記目的を達成する上で好適であることを見出し、本発明を完成するに至った。
【０００９】
即ち、本発明は、上記の目的を達成するため、
前身頃及び後身頃を含む本体部と、
前記本体部に設けられた右側袖部及び左側袖部と、
前記右側袖部及び前記左側袖部のうちの少なくとも一方において、前記前身頃側に設けられた透明部と、
前記透明部を有する側において、前記前身頃と前記後身頃との合わせ目に前記本体部の裾から脇部まで設けられた第一開閉機構、及び、前記脇部から袖口まで設けられた第二開閉機構と、
を有すること、
を特徴とする透析用抜針予防衣を提供する。
【００１０】
このような構成を有する本発明の透析用抜針予防衣によれば、右側袖部及び左側袖部のうちの少なくとも一方において前身頃側に透明部を有するため、腕やシャント肢を見える状態で緩やかに覆うことができ、恐怖感や身体的及び心理的窮屈感を与えることなく、透析患者に透析を施すことができる。また、前身頃と後身頃の合わせ目や袖部に開閉機構を有するため、本体部及び袖部を前身頃の側と後身頃の側とで大きく開くことができ、透析患者にとっても医療従事者にとっても透析用抜針予防衣の着脱が容易である。
【００１１】
上記の本発明の透析用抜針予防衣は、前記脇部に開口部を有することが好ましい。透析に使用されるチューブ等の回路は、患者の腕と袖部との間を沿わせて袖部の端部開口から外に出したり、患者の身体と本体部との間を沿わせて本体部の端部開口から外に出したりもできるが、このように脇部に開口部を設けると、身体に沿わせることなく当該開口部から上記回路を外に出すことができる。
【００１２】
また、上記の本発明の透析用抜針予防衣においては、前記第一開閉機構及び前記第二開閉機構がそれぞれ第一スライドファスナー及び第二スライドファスナーで構成されていること、が好ましい。このように、前身頃と後身頃の合わせ目や袖部の開閉機構がスライドファスナーで構成されていると、より確実に本体部及び袖部を前身頃の側と後身頃の側とで大きく開くことができ、透析患者にとっても医療従事者にとっても透析用抜針予防衣の着脱が更に容易である。
【００１３】
更に、上記の本発明の透析用抜針予防衣においては、前記第一スライドファスナー及び前記第二スライドファスナーが、前記開口部にて切り替わっている構成を有すること、が好ましい。このように、前記第一スライドファスナー及び前記第二スライドファスナーが、前記開口部にて切り替わっていると、透析治療のプロセスにおいて、本体部又は袖部のみの開閉が可能であり、便利である。
【発明の効果】
【００１４】
本発明によれば、従来の抑制帯のように目に見えない状態で物理的に固く腕やシャント肢を拘束するのではなく、腕を見える状態で緩やかに覆い、恐怖感や身体的及び心理的窮屈感を与えることのない透析用の抑制帯、即ち透析用抜針予防衣を実現することができる。
【図面の簡単な説明】
【００１５】
【図１】本発明の透析用抜針予防衣の一実施形態の概略正面図である。
【図２】図１に示す透析用抜針予防衣１において、本体部２の裾２Ｅから脇部８まで設けられたスライドファスナー１０、脇部８から袖口４ＲＥまで設けられたスライドファスナー１２、及び前身頃２ｆの中央部に設けられたスライドファスナー１４を開いた様子を示す概略正面図である。
【図３】図１に示す透析用抜針予防衣１を着た透析患者のシャント部における回路の様子を示す模式図である。
【発明を実施するための形態】
【００１６】
以下において、本発明の透析用抜針予防衣１１の代表的な実施形態を、図面を参照しながら詳細に説明するが、本発明は図示されるものに限られないことは言うまでもない。また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１７】
本実施形態の透析用抜針予防衣１１は、例えば前身頃２ｆ及び後身頃２ｂを含む本体部２と、本体部２に設けられた右側袖部４Ｒ及び左側袖部４Ｌと、右側袖部４Ｒにおいて前身頃２ｆ側に設けられた透明部６と、透明部６を有する側において、側面の前身頃２ｆと後身頃２ｂとの合わせ目に本体部２の裾２Ｅから脇部８まで設けられたスライドファスナー（第一開閉機構）１０、及び、脇部８から袖口４ＲＥまで設けられたスライドファスナー（第二開閉機構）１２と、を有することを特徴とする。
【００１８】
この透析用抜針予防衣１１は、更に、前身頃２ｆの中央部にスライドファスナー１４からなる開閉機構を有しており、本体部２の裾２Ｅから脇部８まで設けられたスライドファスナー１０、脇部８から袖口４ＲＥまで設けられたスライドファスナー１２、及び前身頃２ｆの中央部に設けられたスライドファスナー１４を開くと、図２に示すような態様になる。また、図示しないが脇部８には開口部が設けられている。
【００１９】
図２に示す本体部２の右側面のスライドファスナー１０においては、本体部２の裾２Ｅに一対のピン及びボックス（図示せず。）が設けられている。ピンをボックスに入れてスライドファスナー１０を当該裾Ｅから脇部８まで上方に移動させることにより、前身頃２ｆと後身頃２ｂとを、前側端部１０ｆ及び後側端部１０ｂの部分で閉じることができ、スライドファスナー１０を脇部８から裾８Ｅまで下方に移動させることにより前身頃２ｆと後身頃２ｂとを、前側端部１０ｆ及び後側端部１０ｂの部分で開くことができる。
【００２０】
また、右側袖部４Ｒのスライドファスナー１２においては、右側袖部４Ｒの袖口４ＲＥに一対のピン及びボックス（図示せず。）が設けられている。ピンをボックスに入れてスライドファスナー１２を当該袖口４ＲＥから脇部８まで上方に移動させることにより、右側袖部４Ｒの前身頃側４Ｒｆと後身頃側４Ｒｂとを、前側端部１２ｆと後側端部１２ｂの部分で閉じることができ、スライドファスナー１２を脇部８から袖口４ＲＥまで下方に移動させることにより、右側袖部４Ｒの前身頃側４Ｒｆと後身頃側４Ｒｂとを、前側端部１２ｆと後側端部１２ｂの部分で開くことができる。
【００２１】
このように、本体部２側面のスライドファスナー１０と右側袖部４Ｒのスライドファスナー１２とは、脇部８において切り替わった構造を有しており、したがって、脇部８には図示しないが隙間からなる開口部を設け易い。本実施形態においては、上記のように、この脇部８が開口部を有している。
【００２２】
更に、本実施形態の透析用抜針予防１においては、上記のように前身頃２ｆが右側部分２Ｒと左側部分２Ｌとで構成されており、前身頃２の中央部にはスライドファスナー１４が設けられている。
【００２３】
このスライドファスナー１４を、前身頃２の右側部分２Ｒ及び左側部分２Ｌの略中央部にある最下端部１４Ｅに一対のピン及びボックス（図示せず。）が設けられている。ピンをボックスに入れてスライドファスナー１４を当該最下端部１４Ｅから襟ぐりまで上方に移動させることにより、前身頃２の右側部分２Ｒと左側部分２Ｌとを、右側部分２Ｒの端部１４Ｒ及び左側部分２Ｌの端部１４Ｌの部分で閉じることができ、スライドファスナー１４を襟ぐりから最下端部１４Ｅまで下方に移動させることにより、右側部分２Ｒの端部１４Ｒ及び左側部分２Ｌの端部１４Ｌの部分で前身頃２の右側部分２Ｒと左側部分２Ｌとを開くことができる。
【００２４】
ここで、本実施形態の透析用抜針予防１は、上記のような本発明の作用効果を損なわない範囲で、かつ、衛生的で患者にとって優しい種々の材料を用いて構成することができる。また、透析用抜針予防１は、使い捨て（ディスポーザブル）タイプ又はクリーニング等をして繰返し使用するタイプのいずれにも適用することができる。
【００２５】
本体部２並びに右側袖部４Ｒ及び左側袖部４Ｌは、種々の繊維で構成された布を用いて作製することができる。かかる繊維としては、例えば、綿及び麻等の植物繊維並びに毛及び絹等の動物繊維等の天然繊維が挙げられる。また、例えば、レーヨン、ポリノジック及びキュプラ等の再生繊維、アセテート、トリアセテート及びプロミックス等の半合成繊維、ポリエステル、アクリル、ナイロン、ビニロン及びポリウレタン等の合成繊維等の化学繊維が挙げられる。
【００２６】
また、本体部２並びに右側袖部４Ｒ及び左側袖部４Ｌを構成する布としては、例えば、織布、編布、レース、フェルト及び不織布等が挙げられる。
【００２７】
また、右側袖部４Ｒに設けられた透明部６は、本実施形態においては、略長方形の窓の形状を有しており、透析患者が本実施形態の透析用抜針予防１を着用した場合に、右腕において動脈と静脈をつなぎ合わせて直接動脈の血を静脈に流れるようにしたシャント部が、当該透明部６から見えるようになっている。
【００２８】
上記のように、本発明者は、どのような構造を有する抑制帯を用いれば、認知症患者を含む透析患者が恐怖感や身体的及び心理的窮屈感を持たずシャント部の針を取り外そうとすることなく透析治療を受けられるか鋭意検討した結果、これまでの抑制帯とは異なり、本実施形態の透析用抜針予防１のように衣服のようにゆったりと着ることができ、図３に示すようにシャント部を見ることができる構造を採用すれば、認知症患者を含む透析患者が恐怖感や身体的及び心理的窮屈感を持たずシャント部の針を取り外そうとすることなく透析治療を受けられることを見出した。なお、図３は、図１に示す透析用抜針予防衣１を着た透析患者のシャント部における回路の様子を示す模式図である。
【００２９】
ここで、透明部６は、シャント部が見える程度の透明度を有し、透析患者が透析用抜針予防１を着用した際に過度の違和感や不愉快な思いを持たないような風合いや肌触りを持っているのが好ましい。したがって、透明性を有する材料であれば種々用いることができるが、例えば、薄いポリ塩化ビニルシート等を用いるのが好ましい。右側袖部４Ｒには例えば縫製により取り付ければよい。
【００３０】
以上、本発明の透析用抜針予防衣の代表的な実施形態について図面を参照しつつ説明してきたが、本発明は、これらの実施形態に限定されるものではなく、特許請求の範囲の記載の精神及び教示を逸脱しない範囲でその他の変形例や改良例が存在し、これらは全て本発明の技術的範囲に含まれる。
【００３１】
例えば、上記実施形態においては、右側袖部４Ｒのみに透明部６が設けられている態様について説明したが、左側袖部４Ｌにも透明部が設けられていてもよく、右側袖部４Ｒ及び左側袖部４Ｌの両方に透明部が設けられていてもよい。
【００３２】
この場合、図１及び図２に示すように右側袖部４Ｒ側において本体部２の裾２Ｅから脇部８まで設けられたスライドファスナー１０と同様に、左側袖部４Ｌ側にも、本体部２の裾２Ｅから脇部８までスライドファスナーを設けるとよい。また、右側袖部４Ｌ側において脇部８から袖口４ＲＥまで設けられたスライドファスナー１２と同様に、左側袖部４Ｌ側にも、脇部８から袖口４までスライドファスナーを設けるとよい。
【００３３】
また、上記実施形態においては、本体部２がある程度の長さを有し、透析患者が着用した際に概ね腰の位置までを覆う態様としたが、本体部２の長さは必ずしも長くなくてもよく、例えば、みぞおちの辺りまでの長さであってもよい。
【００３４】
また、上記実施形態においては、第一開閉機構及び第二開閉機構がスライドファスナーで構成されている態様について説明したが、第一開閉機構及び／又は第二開閉機構は、ボタン式の開閉機構であっても、面ファスナーを用いた開閉機構であってもよい。スライドファスナー、ボタン及び面ファスナーのうちのいずれか２種以上を組み合わせて使用してもよい。
【符号の説明】
【００３５】
１・・・透析用抜針予防衣、
２・・・本体部、
２ｆ・・・前身頃、
２ｂ・・・後身頃、
２Ｒ・・・前身頃２ｆの右側部分、
２Ｌ・・・前身頃２ｆの左側部分、
４Ｒ・・・右側袖部、
４Ｒｆ・・・右側袖部４Ｒの前身頃側、
４Ｒｂ・・・右側袖部４Ｒの後身頃側、
４Ｌ・・・左側袖部、
６・・・透明部、
８・・・脇部、
１０・・・スライドファスナー（第一開閉機構）、
１０ｆ・・・前側端部、
１０ｂ・・・後側端部、
１２・・・スライドファスナー（第二開閉機構）、
１２ｆ・・・前側端部、
１２ｂ・・・後側端部、
１４・・・スライドファスナー、
１４Ｒ・・・右側部分２Ｒの端部、
１４Ｌ・・・左側部分２Ｌの端部。
【図１】
2017172066.tif 000003
【図２】
2017172066.tif 000004
【図３】
2017172066.tif 000005
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
前身頃及び後身頃を含む本体部と、
前記本体部に設けられた右側袖部及び左側袖部と、
前記右側袖部及び前記左側袖部のうちの少なくとも一方において、前記前身頃側に設けられた透明部と、
前記透明部を有する側において、前記前身頃と前記後身頃との合わせ目に前記本体部の裾から脇部まで設けられた第一開閉機構、及び、前記脇部から袖口まで設けられた第二開閉機構と、
を有すること、
を特徴とする透析用抜針予防衣。
【請求項２】
前記脇部に開口部を有すること、
を特徴とする請求項１に記載の透析用抜針予防衣。
【請求項３】
前記第一開閉機構及び前記第二開閉機構がそれぞれスライドファスナーで構成されていること、
を特徴とする請求項１又は２に記載の透析用抜針予防衣。
【請求項４】
前記第一開閉機構を構成するスライドファスナーと前記第二開閉機構を構成するスライドファスナーが、前記開口部にて切り替わっている構成を有すること、
を特徴とする請求項２に記載の透析用抜針予防衣。